(57)【要約】  本開示の一実施形態の描画および消去装置は、発光波長の互いに異なる複数のレーザ素子を含む光源部と、複数のレーザ素子から出射された複数種類のレーザ光を合波する合波部と、合波部から出射された合波光を、発色色調が互いに異なる可逆性の複数の記録層を有する可逆性記録媒体上で走査するスキャナ部と、可逆性記録媒体に書き込まれた情報の消去時に、スキャナ部が可逆性記録媒体上の所定の領域を重複走査するようにスキャナ部の主走査速度および副走査速度を制御する制御部とを備える。
2019244649.tif 000002
【特許請求の範囲】
【請求項１】
発光波長の互いに異なる複数のレーザ素子を含む光源部と、
前記複数のレーザ素子から出射された複数種類のレーザ光を合波する合波部と、
前記合波部から出射された合波光を、発色色調が互いに異なる可逆性の複数の記録層を有する可逆性記録媒体上で走査するスキャナ部と、
前記可逆性記録媒体に書き込まれた情報の消去時に、前記スキャナ部が前記可逆性記録媒体上の所定の領域を重複走査するように前記スキャナ部の主走査速度および副走査速度を制御する制御部と
を備えた描画および消去装置。
【請求項２】
前記可逆性記録媒体へ情報を書き込む描画時および前記消去時において、前記合波部を構成する光学系を切り替える切り替え部をさら備える、請求項１に記載の描画および消去装置。
【請求項３】
前記合波部は、前記合波光のスポット径を調整する光学レンズを有し、
前記切り替え部は、前記描画時および前記消去時において前記合波部の光学系から前記光学レンズを着脱する、請求項２に記載の描画および消去装置。
【請求項４】
前記主走査速度は１ｍ／ｓｅｃ以上２０ｍ／ｓｅｃ以下である、請求項１に記載の描画および消去装置。
【請求項５】
前記副走査速度は５ｍ／ｓｅｃ以下である、請求項１に記載の描画および消去装置。
【請求項６】
前記消去時における前記合波光のスポット径は、前記描画時に用いるレーザ光のスポット径よりも小さい、請求項２に記載の描画および消去装置。
【請求項７】
前記消去時における前記合波光のスポット径は０．１ｍｍ角以上３ｍｍ角以下である、請求項１に記載の描画および消去装置。
【請求項８】
前記消去時における前記合波光の出力は３Ｗ以上３０Ｗ以下である、請求項１に記載の描画および消去装置。
【請求項９】
前記可逆性記録媒体は、可逆性感熱発色性組成物と光熱変換材料とを含む複数の記録層を有し、各前記可逆性感熱発色性組成物の発色色調が前記複数の記録層ごとに異なると共に、各前記光熱変換材料の吸収波長が前記複数の記録層ごとに異なる、請求項１に記載の描画および消去装置。
【請求項１０】
発光波長の互いに異なる複数のレーザ素子から出射されるレーザ光を合波し、合波光を、発色色調が互いに異なる可逆性の複数の記録層を有する可逆性記録媒体上で所定の領域を重複走査する
消去方法。
【請求項１１】
前記合波光の走査経路として、前記可逆性記録媒体の所定の領域を横断する第１の開始点、第１の終了点、第２の開始点および第２の終了点を有する、請求項１０に記載の消去方法。
【請求項１２】
前記合波光を前記第１の開始点、第１の終了点、前記第２の開始点および前記第２の終了点の順に連続して照射する、請求項１１に記載の消去方法。
【請求項１３】
前記可逆性記録媒体の所定の領域への不連続な前記合波光の照射を走査に含む、請求項１０に記載の消去方法。
【請求項１４】
前記合波光の走査経路として、前記可逆性記録媒体の所定の領域を横断する第１の開始点、第１の終了点、第２の開始点および第２の終了点を有し、
前記第１の開始点から第１の終了点まで走査したのち、前記第１の終了点から前記第２の開始点まで前記合波光を照射しない状態で走査する、請求項１３に記載の消去方法。
【請求項１５】
前記第１の開始点と前記第１の終了点および前記第２の開始点と前記第２の終了点は、それぞれ、前記合波光の主走査方向（Ｘ軸方向）において互いに正対する位置に配置され、
前記第１の開始点と前記第２の開始点および前記第１の終了点と前記第２の終了点は、それぞれ、前記合波光の副走査方向（Ｙ軸方向）上に配置されている、請求項１１に記載の消去方法。
【請求項１６】
前記第１の開始点と前記第１の終了点および前記第２の開始点と前記第２の終了点は、それぞれ、前記合波光の主走査方向（Ｘ軸方向）において互いに正対する位置に配置され、
前記第１の開始点と前記第２の終了点および前記第１の終了点と前記第２の開始点は、それぞれ、前記合波光の副走査方向（Ｙ軸方向）上に配置されている、請求項１１に記載の消去方法。
【請求項１７】
前記第１の開始点と前記第２の開始点および前記第１の終了点と前記第２の終了点は、それぞれ、前記合波光の副走査方向（Ｙ軸方向）上に配置され、
前記第１の終了点および前記第２の終了点は、ぞれぞれ、前記第１の開始点および前記第２の開始点から前記副走査方向にシフトした位置に配置されている、請求項１１に記載の消去方法。
【発明の詳細な説明】
【技術分野】
【０００１】
本開示は、例えばロイコ色素を含む可逆性記録媒体への描画および消去装置ならびに消去方法に関する。
【背景技術】
【０００２】
近年、地球環境的な見地から、リライタブル記録技術の必要性が認識されており、例えばロイコ色素等の感熱発色性組成物を用いた感熱方式の記録媒体が普及している。そのような記録媒体には、一度書き込んだら消去のできない不可逆性の記録媒体と、何度でも書き換え可能な可逆性記録媒体とが実用化されている。可逆性記録媒体では、例えば、書き込み用の光源と、消去用の光源とを備えた描画装置によって情報の書き込みおよび消去が行われる。また、書き込み用の光源を備えた書き込み装置によって情報の書き込みが行われ、消去用の光源を備えた消去装置によって情報の消去が行われる。【０００３】
消去装置としては、例えば、特許文献１において、光源として断面がライン状のレーザ光を射出するＬＤアレイと、ＬＤアレイから射出されたレーザ光を幅方向に収束する収束光に変換して射出するシリンドリカルレンズを含む光学系と、光学系から射出されたレーザ光を幅方向に偏光して熱可逆記録媒体上に走査する一軸のガルバノミラーとを備えることで、熱可逆記録媒体に記録された画像を均一に消去可能とした画像消去装置が開示されている。
【先行技術文献】
【特許文献】
【０００４】
【特許文献１】特開２０１３−１１６５９８号公報
【発明の概要】
【０００５】
ところで、多色表示が可能な可逆性記録媒体では、表示品位の向上が望まれている。
【０００６】
表示品位を向上させることが可能な描画および消去装置ならびに消去方法を提供することが望ましい。
【０００７】
本開示の一実施形態の描画および消去装置は、発光波長の互いに異なる複数のレーザ素子を含む光源部と、複数のレーザ素子から出射された複数種類のレーザ光を合波する合波部と、合波部から出射された合波光を、発色色調が互いに異なる可逆性の複数の記録層を有する可逆性記録媒体上で走査するスキャナ部と、可逆性記録媒体に書き込まれた情報の消去時に、スキャナ部が可逆性記録媒体上の所定の領域を重複走査するようにスキャナ部の主走査速度および副走査速度を制御する制御部とを備えたものである。
【０００８】
本開示の一実施形態の消去方法は、発光波長の互いに異なる複数のレーザ素子から出射されるレーザ光を合波し、合波光を、発色色調が互いに異なる可逆性の複数の記録層を有する可逆性記録媒体上で所定の領域を重複走査する。
【０００９】
本開示の一実施形態の描画および消去装置ならびに本開示の一実施形態の消去方法では、光源部を互いに発光波長の異なる複数のレーザ素子を用いて構成すると共に、この複数のレーザ素子から出射された複数種類のレーザ光を合波した合波光を、可逆性記録媒体上の所定の領域を重複走査するようにした。これにより、可逆性記録媒体の所定の領域の温度レベルを細かく調整する。
【００１０】
本開示の一実施形態の描画および消去装置ならびに本開示の一実施形態の消去方法によれば、互いに発光波長の異なる複数のレーザ素子から出射された複数種類のレーザ光を合波した合波光を、可逆性記録媒体上の所定の領域で重複走査するようにしたので、所定の領域における温度レベルの細かな調整が可能となる。よって、消去不良が低減され、表示品位を向上させることが可能となる。
【００１１】
なお、ここに記載された効果は必ずしも限定されるものではなく、本開示中に記載されたいずれの効果であってもよい。
【図面の簡単な説明】
【００１２】
【図１】本開示の実施の形態に係る可逆性記録媒体の描画および消去装置のシステム構成例を表す図である。
【図２】図１に示した可逆性記録媒体の構成の一例を表す断面模式図である。
【図３】図１に示したデータベースの一例を表す図である。
【図４】図１に示した描画および消去装置を用いた消去工程における可逆性記録媒体の任意の領域における温度プロファイルを表す図である。
【図５Ａ】図１に示した描画および消去装置を用いた消去工程における走査経路の一例を表す図である。
【図５Ｂ】図１に示した描画および消去装置を用いた消去工程における走査経路の他の例を表す図である。
【図５Ｃ】図１に示した描画および消去装置を用いた消去工程における走査経路の他の例を表す図である。
【図６Ａ】図１に示した描画および消去装置を用いた消去工程における走査経路の他の例を表す図である。
【図６Ｂ】図１に示した描画および消去装置を用いた消去工程における走査経路の他の例を表す図である。
【図７】本開示の変形例に係る可逆性記録媒体の構成の一例を表す断面模式図である。
【図８Ａ】適用例１の外観の一例を表す斜視図である。
【図８Ｂ】適用例１の外観の他の例を表す斜視図である。
【図９Ａ】適用例２の外観（前面側）の一例を表す斜視図である。
【図９Ｂ】適用例２の外観（背面側）の一例を表す斜視図である。
【図１０Ａ】適用例３の外観の一例を表す斜視図である。
【図１０Ｂ】適用例３の外観の他の例を表す斜視図である。
【図１１】適用例４の一構成例を表す説明図である。
【図１２Ａ】適用例５の外観（上面）の一例を表す斜視図である。
【図１２Ｂ】適用例５の外観（側面）の一例を表す斜視図である。
【図１３】適用例６の外観の一例を表す斜視図である。
【発明を実施するための形態】
【００１３】
以下、本開示における実施の形態について、図面を参照して詳細に説明する。以下の説明は本開示の一具体例であって、本開示は以下の態様に限定されるものではない。また、本開示は、各図に示す各構成要素の配置や寸法、寸法比等についても、それらに限定されるものではない。なお、説明する順序は、下記の通りである。
１．実施の形態（消去時に、スキャナ部が可逆性記録媒体上の所定の領域を重複走査するようにスキャナ部の主走査速度および副走査速度を制御する制御部を備えた描画および消去装置の例）
１−１．可逆性記録媒体の構成
１−２．可逆性記録媒体の製造方法
１−３．描画および消去装置の構成
１−４．可逆性記録媒体の書き込みおよび消去方法
１−５．作用・効果
２．変形例（記録層内に複数種類の呈色性化合物を含む可逆性記録媒体の例）
３．適用例１〜６
４．実施例
【００１４】
＜１．実施の形態＞
本開示の一実施の形態に係る描画および消去装置（描画および消去装置１）について説明する。図１は、本実施の形態に係る描画および消去装置１のシステム構成例を表したものである。描画および消去装置１は、可逆性記録媒体１００に対して情報の書き込み（描画）および書き込まれた情報の消去を行うものである。まず、可逆性記録媒体１００について説明し、その後に描画および消去装置１について説明する。
【００１５】
（１−１．可逆性記録媒体の構成）
図２は、図１に示した可逆性記録媒体１００の一具体例である可逆性記録媒体１００Ａの断面構成を表したものである。なお、図２に示した可逆性記録媒体１００Ａは断面構成を模式的に表したものであり、実際の寸法、形状とは異なる場合がある。可逆性記録媒体１００Ａは、例えば、支持基体１１上に、記録状態および消去状態を可逆的に変化させることが可能な記録層１１２が配置されたものである。この記録層１１２は、例えば、互いに発色色調の異なる３つの層（記録層１１２Ｍ，記録層１１２Ｃ，記録層１１２Ｙ）がこの順に積層された構成を有する。記録層１１２Ｍと記録層１１２Ｃとの間および記録層１１２Ｃと記録層１１２Ｙとの間には、それぞれ、複数の層（ここでは、３層）からなる中間層１１３，１１４が設けられている。記録層１１２Ｙ上には、保護層１５が設けられている。
【００１６】
支持基体１１１は、記録層１１２を支持するためのものである。支持基体１１１は、耐熱性に優れ、且つ、平面方向の寸法安定性に優れた材料により構成されている。支持基体１１１は、光透過性および非光透過性のどちらの特性を有していてもよい。支持基体１１１は、例えば、ウェハ等の剛性を有する基板でもよいし、可撓性を有する薄層ガラス、フィルムあるいは紙等により構成してもよい。支持基体１１１として可撓性基板を用いることにより、フレキシブル（折り曲げ可能）な可逆性記録媒体を実現できる。
【００１７】
支持基体１１１の構成材料としては、例えば、無機材料、金属材料およびプラスチック等の高分子材料等が挙げられる。具体的には、無機材料としては、例えば、ケイ素（Ｓｉ）、酸化ケイ素（ＳｉＯX）、窒化ケイ素（ＳｉＮX）、酸化アルミニウム（ＡｌＯX）および酸化マグネシウム（ＭｇＯX）等が挙げられる。酸化ケイ素には、ガラスまたはスピンオングラス（ＳＯＧ）等が含まれる。金属材料としては、例えば、アルミニウム（Ａｌ）、銅（Ｃｕ）、銀（Ａｇ）、金（Ａｕ）、白金（Ｐｔ）、パラジウム（Ｐｄ）、ニッケル（Ｎｉ）、錫（Ｓｎ）、コバルト（Ｃｏ）、ロジウム（Ｒｈ）、イリジウム（Ｉｒ）、鉄（Ｆｅ）、ルテニウム（Ｒｕ）、オスミウム（Ｏｓ）、マンガン（Ｍｎ）、モリブデン（Ｍｏ）、タングステン（Ｗ）、ニオブ（Ｎｂ）、タンタル（Ｔａ）、チタン（Ｔｉ）、ビスマス（Ｂｉ）、アンチモン（Ｓｂ）および鉛（Ｐｂ）等の金属単体、あるいは、それらを２種以上含む合金が挙げられる。合金の具体例としては、ステンレス鋼（ＳＵＳ）、アルミニウム合金、マグネシウム合金およびチタン合金等が挙げられる。高分子材料としては、フェノール樹脂 、エポキシ樹脂、メラミン樹脂、尿素樹脂、不飽和ポリエステル樹脂、アルキド樹脂、ウレタン樹脂、ポリイミド、ポリエチレン、高密度ポリエチレン、中密度ポリエチレン、低密度ポリエチレン、ポリプロピレン、ポリ塩化ビニル、ポリ塩化ビニリデン、ポリスチレン、ポリ酢酸ビニル、ポリウレタン、アクリロニトリルブタジエンスチレン樹脂（ＡＢＳ）、アクリル樹脂（ＰＭＭＡ）、ポリアミド、ナイロン、ポリアセタール、ポリカーボネート（ＰＣ）、変性ポリフェニレンエーテル、ポリエチレンテレフタレート（ＰＥＴ）、ポリブチレンテレフタレート、環状ポリオレフィン、ポリフェニレンスルファイド、ポリテトラフロロエチレン（ＰＴＦＥ）、ポリサルフォン、ポリエーテルサルフォン、非晶ポリアリレート、液晶ポリマー、ポリエーテルエーテルケトン（ＰＥＥＫ）、ポリアミドイミド、ポリエチレンナフタレート（ＰＥＮ）およびトリアセチルセルロース、セルロースあるいは、それらの共重合体、ガラス繊維強化プラスチック、炭素繊維強化プラスチック（ＣＦＲＰ）等が挙げられる。なお、支持基体１１１の上面または下面には、反射層を設けるようにしてもよい。反射層を設けることにより、より鮮明な色表示が可能となる。
【００１８】
記録層１１２は、熱により可逆的に情報の書き込みや消去が可能なものであり、安定した繰り返し記録が可能な、消色状態と発色状態とを制御し得る材料を用いて構成されている。記録層１１２は、例えば、マゼンタ色（Ｍ）を呈する記録層１１２Ｍと、シアン色（Ｃ）を呈する記録層１１２Ｃと、黄色（Ｙ）を呈する記録層１１２Ｙとを有する。
【００１９】
記録層１１２は、記録層１１２Ｍ，１１２Ｃ，１１２Ｙは、互いに異なる色を呈する呈色性化合物（可逆性感熱発色性組成物）と、各呈色性化合物に対応する顕・減色剤と、互いに異なる波長域の光を吸収して発熱する光熱変換材料とを含む、例えば、高分子材料によって形成されている。これにより、可逆性記録媒体１００Ａは、多色表示の着色が可能となる。具体的には、記録層１１２Ｍは、例えば、マゼンタ色を呈する呈色性化合物、これに対応する顕・減色剤および例えば、発光波長λ１の赤外線を吸収して発熱する光熱変換材料を含んで構成されている。記録層１１２Ｃは、例えば、シアン色を発色する呈色性化合物、これに対応する顕・減色剤および例えば、発光波長λ２の赤外線を吸収して呈する光熱変換材料を含んで構成されている。記録層１１２Ｙは、例えば、イエロー色を呈する呈色性化合物、これに対応する顕・減色剤および例えば、発光波長λ３の赤外線を吸収して発熱する光熱変換材料を含んで構成されている。発光波長λ１，λ２，λ３は、互いに異なる。
【００２０】
なお、記録層１１２Ｍ，１１２Ｃ，１１２Ｙは、消色状態では透明になる。これにより、可逆性記録媒体１００Ａは、広い色域での記録が可能となる。記録層１１２Ｍ，１１２Ｃ，１１２Ｙの積層方向の厚さ（以下、単に厚さとする）は、例えば、１μｍ以上１０μｍ以下である。
【００２１】
呈色性化合物は、例えば、ロイコ色素が挙げられる。ロイコ色素としては、例えば、既存の感熱紙用色素が挙げられる。具体的には、一例として、下記式（１）に示した、分子内に、例えば電子供与性を有する基を含む化合物が挙げられる。
【００２２】
【化１】
2019244649.tif 000003
【００２３】
記録層１１２Ｍ，１１２Ｃ，１１２Ｙに用いる呈色性化合物は、特に制限はなく、目的に応じて適宜選択することができる。具体的な呈色性化合物としては、上記式（１）に示した化合物の他に、例えば、フルオラン系化合物、トリフェニルメタンフタリド系化合物、アザフタリド系化合物、フェノチアジン系化合物、ロイコオーラミン系化合物およびインドリノフタリド系化合物等が挙げられる。この他、例えば、２−アニリノ−３−メチル−６−ジエチルアミノフルオラン、２−アニリノ−３−メチル−６−ジ（ｎ−ブチルアミノ）フルオラン、２−アニリノ−３−メチル−６−（Ｎ−ｎ−プロピル−Ｎ−メチルアミノ）フルオラン、２−アニリノ−３−メチル−６−（Ｎ−イソプロピル−Ｎ−メチルアミノ）フルオラン、２−アニリノ−３−メチル−６−（Ｎ−イソブチル−Ｎ−メチルアミノ）フルオラン、２−アニリノ−３−メチル−６−（Ｎ−ｎ−アミル−Ｎ−メチルアミノ）フルオラン、２−アニリノ−３−メチル−６−（Ｎ−ｓｅｃ−ブチル−Ｎ−メチルアミノ）フルオラン、２−アニリノ−３−メチル−６−（Ｎ−ｎ−アミル−Ｎ−エチルアミノ）フルオラン、２−アニリノ−３−メチル−６−（Ｎ−ｉｓｏ−アミル−Ｎ−エチルアミノ）フルオラン、２−アニリノ−３−メチル−６−（Ｎ−ｎ−プロピル−Ｎ−イソプロピルアミノ）フルオラン、２−アニリノ−３−メチル−６−（Ｎ−シクロヘキシル−Ｎ−メチルアミノ）フルオラン、２−アニリノ−３−メチル−６−（Ｎ−エチル−ｐ−トルイジノ）フルオラン、２−アニリノ−３−メチル−６−（Ｎ−メチル−ｐ−トルイジノ）フルオラン、２−（ｍ−トリクロロメチルアニリノ）−３−メチル−６−ジエチルアミノフルオラン、２−（ｍ−トリフルロロメチルアニリノ）−３−メチル−６−ジエチルアミノフルオラン、２−（ｍ−トリクロロメチルアニリノ）−３−メチル−６−（Ｎ−シクロヘキシル−Ｎ−メチルアミノ）フルオラン、２−（２，４−ジメチルアニリノ）−３−メチル−６−ジエチルアミノフルオラン、２−（Ｎ−エチル−ｐ−トルイジノ）−３−メチル−６−（Ｎ−エチルアニリノ）フルオラン、２−（Ｎ−エチル−ｐ−トルイジノ）−３−メチル−６−（Ｎ−プロピル−ｐ−トルイジノ）フルオラン、２−アニリノ−６−（Ｎ−ｎ−ヘキシル−Ｎ−エチルアミノ）フルオラン、２−（ｏ−クロロアニリノ）−６−ジエチルアミノフルオラン、２−（ｏ−クロロアニリノ）−６−ジブチルアミノフルオラン、２−（ｍ−トリフロロメチルアニリノ）−６−ジエチルアミノフルオラン、２，３−ジメチル−６−ジメチルアミノフルオラン、３−メチル−６−（Ｎ−エチル−ｐ−トルイジノ）フルオラン、２−クロロ−６−ジエチルアミノフルオラン、２−ブロモ−６−ジエチルアミノフルオラン、２−クロロ−６−ジプロピルアミノフルオラン、３−クロロ−６−シクロヘキシルアミノフルオラン、３−ブロモ−６−シクロヘキシルアミノフルオラン、２−クロロ−６−（Ｎ−エチル−Ｎ−イソアミルアミノ）フルオラン、２−クロロ−３−メチル−６−ジエチルアミノフルオラン、２−アニリノ−３−クロロ−６−ジエチルアミノフルオラン、２−（ｏ−クロロアニリノ）−３−クロロ−６−シクロヘキシルアミノフルオラン、２−（ｍ−トリフロロメチルアニリノ）−３−クロロ−６−ジエチルアミノフルオラン、２−（２，３−ジクロロアニリノ）−３−クロロ−６−ジエチルアミノフルオラン、１，２−ベンゾ−６−ジエチルアミノフルオラン、３−ジエチルアミノ−６−（ｍ−トリフロロメチルアニリノ）フルオラン、３−（１−エチル−２−メチルインドール−３−イル）−３−（２−エトキシ−４−ジエチルアミノフェニル）−４−アザフタリド、３−（１−エチル−２−メチルインドール−３−イル）−３−（２−エトキシ−４−ジエチルアミノフェニル）−７−アザフタリド、３−（１−オクチル−２−メチルインドール−３−イル）−３−（２−エトキシ−４−ジエチルアミノフェニル）−４−アザフタリド、３−（１−エチル−２−メチルインドール−３−イル）−３−（２−メチル−４−ジエチルアミノフェニル）−４−アザフタリド、３−（１−エチル−２−メチルインドール−３−イル）−３−（２−メチル−４−ジエチルアミノフェニル）−７−アザフタリド、３−（１−エチル−２−メチルインドール−３−イル）−３−（４−ジエチルアミノフェニル）−４−アザフタリド、３−（１−エチル−２−メチルインドール−３−イル）−３−（４−Ｎ−ｎ−アミル−Ｎ−メチルアミノフェニル）−４−アザフタリド、３−（１−メチル−２−メチルインドール−３−イル）−３−（２−ヘキシルオキシ−４−ジエチルアミノフェニル）−４−アザフタリド、３，３−ビス（２−エトキシ−４−ジエチルアミノフェニル）−４−アザフタリド、３，３−ビス（２−エトキシ−４−ジエチルアミノフェニル）−７−アザフタリド、２−（ｐ−アセチルアニリノ）−６−（Ｎ−ｎ−アミル−Ｎ−ｎ−ブチルアミノ）フルオラン、２−ベンジルアミノ−６−（Ｎ−エチル−ｐ−トルイジノ）フルオラン、２−ベンジルアミノ−６−（Ｎ−メチル−２，４−ジメチルアニリノ）フルオラン、２−ベンジルアミノ−６−（Ｎ−エチル−２，４−ジメチルアニリノ）フルオラン、２−ベンジルアミノ−６−（Ｎ−メチル−ｐ−トルイジノ）フルオラン、２−ベンジルアミノ−６−（Ｎ−エチル−ｐ−トルイジノ）フルオラン、２−（ジ−ｐ−メチルベンジルアミノ）−６−（Ｎ−エチル−ｐ−トルイジノ）フルオラン、２−（α−フェニルエチルアミノ）−６−（Ｎ−エチル−ｐ−トルイジノ）フルオラン、２−メチルアミノ−６−（Ｎ−メチルアニリノ）フルオラン、２−メチルアミノ−６−（Ｎ−エチルアニリノ）フルオラン、２−メチルアミノ−６−（Ｎ−プロピルアニリノ）フルオラン、２−エチルアミノ−６−（Ｎ−メチル−ｐ−トルイジノ）フルオラン、２−メチルアミノ−６−（Ｎ−メチル−２，４−ジメチルアニリノ）フルオラン、２−エチルアミノ−６−（Ｎ−エチル−２，４−ジメチルアニリノ）フルオラン、２−ジメチルアミノ−６−（Ｎ−メチルアニリノ）フルオラン、２−ジメチルアミノ−６−（Ｎ−エチルアニリノ）フルオラン、２−ジエチルアミノ−６−（Ｎ−メチル−ｐ−トルイジノ）フルオラン、２−ジエチルアミノ−６−（Ｎ−エチル−ｐ−トルイジノ）フルオラン、２−ジプロピルアミノ−６−（Ｎ−メチルアニリノ）フルオラン、２−ジプロピルアミノ−６−（Ｎ−エチルアニリノ）フルオラン、２−アミノ−���−（Ｎ−メチルアニリノ）フルオラン、２−アミノ−６−（Ｎ−エチルアニリノ）フルオラン、２−アミノ−６−（Ｎ−プロピルアニリノ）フルオラン、２−アミノ−６−（Ｎ−メチル−ｐ−トルイジノ）フルオラン、２−アミノ−６−（Ｎ−エチル−ｐ−トルイジノ）フルオラン、２−アミノ−６−（Ｎ−プロピル−ｐ−トルイジノ）フルオラン、２−アミノ−６−（Ｎ−メチル−ｐ−エチルアニリノ）フルオラン、２−アミノ−６−（Ｎ−エチル−ｐ−エチルアニリノ）フルオラン、２−アミノ−６−（Ｎ−プロピル−ｐ−エチルアニリノ）フルオラン、２−アミノ−６−（Ｎ−メチル−２，４−ジメチルアニリノ）フルオラン、２−アミノ−６−（Ｎ−エチル−２，４−ジメチルアニリノ）フルオラン、２−アミノ−６−（Ｎ−プロピル−２，４−ジメチルアニリノ）フルオラン、２−アミノ−６−（Ｎ−メチル−ｐ−クロロアニリノ）フルオラン、２−アミノ−６−（Ｎ−エチル−ｐ−クロロアニリノ）フルオラン、２−アミノ−６−（Ｎ−プロピル−ｐ−クロロアニリノ）フルオラン、１，２−ベンゾ−６−（Ｎ−エチル−Ｎ−イソアミルアミノ）フルオラン、１，２−ベンゾ−６−ジブチルアミノフルオラン、１，２−ベンゾ−６−（Ｎ−メチル−Ｎ−シクロヘキシルアミノ）フルオランおよび１，２−ベンゾ−６−（Ｎ−エチル−Ｎ−トルイジノ）フルオラン等が挙げられる。記録層１１２Ｍ，１１２Ｃ，１１２Ｙには、上記呈色性化合物を１種単独で用いてもよいし、２種以上を組み合わせて用いてもよい。
【００２４】
顕・減色剤は、例えば、無色の呈色性化合物を発色または、所定の色を呈している呈色性化合物を消色させるためのものである。顕・減色剤としては、例えば、フェノール誘導体、サリチル酸誘導体および尿素誘導体等が挙げられる。具体的には、例えば、下記一般式（２）に示したサリチル酸骨格を有し、分子内に電子受容性を有する基を含む化合物が挙げられる。
【００２５】
【化２】
2019244649.tif 000004
（Ｘは、−ＮＨＣＯ−、−ＣＯＮＨ−、−ＮＨＣＯＮＨ−、−ＣＯＮＨＣＯ−、−ＮＨＮＨＣＯ−、−ＣＯＮＨＮＨ−、−ＣＯＮＨＮＨＣＯ−、−ＮＨＣＯＣＯＮＨ−、−ＮＨＣＯＮＨＣＯ−、−ＣＯＮＨＣＯＮＨ−、−ＮＨＮＨＣＯＮＨ−、−ＮＨＣＯＮＨＮＨ−、−ＣＯＮＨＮＨＣＯＮＨ−、−ＮＨＣＯＮＨＮＨＣＯ−、−ＣＯＮＨＮＨＣＯＮＨ−のうちのいずれかである。Ｒは、炭素数２５以上３４以下の直鎖状の炭化水素基である。）
【００２６】
顕・減色剤としては、この他、例えば、４，４’−イソプロピリデンビスフェノール、４，４’−イソプロピリデンビス（ｏ−メチルフェノール）、４，４’−セカンダリーブチリデンビスフェノール、４，４’−イソプロピリデンビス（２−ターシャリーブチルフェノール）、ｐ−ニトロ安息香酸亜鉛、１，３，５−トリス（４−ターシャリーブチル−３−ヒドロキシ−２，６−ジメチルベンジル）イソシアヌル酸、２，２−（３，４’−ジヒドロキシジフェニル）プロパン、ビス（４−ヒドロキシ−３−メチルフェニル）スルフィド、４−｛β−（ｐ−メトキシフェノキシ）エトキシ｝サリチル酸、１，７−ビス（４−ヒドロキシフェニルチオ）−３，５−ジオキサヘプタン、１，５−ビス（４−ヒドロキシフェニチオ）−５−オキサペンタン、フタル酸モノベンジルエステルモノカルシウム塩、４，４’−シクロヘキシリデンジフェノール、４,４’−イソプロピリデンビス（２−クロロフェノール）、２，２’−メチレンビス（４−メチル−６−ターシャリ−ブチルフェノール）、４，４’−ブチリデンビス（６−ターシャリ−ブチル−２−メチル）フェノール、１，１，３−トリス（２−メチル−４−ヒドロキシ−５−ターシャリ−ブチルフェニル）ブタン、１，１，３−トリス（２−メチル−４−ヒドロキシ−５−シクロヘキシルフェニル）ブタン、４，４’−チオビス（６−ターシャリ−ブチル−２−メチル）フェノール、４，４’−ジフェノールスルホン、４−イソプロポキシ−４’−ヒドロキシジフェニルスルホン（４−ヒドロキシ−４’−イソプロポキシジフェニルスルホン）、４−ベンジロキシ−４’−ヒドロキシジフェニルスルホン、４，４’−ジフェノールスルホキシド、ｐ−ヒドロキシ安息香酸イソプロピル、ｐ−ヒドロキシ安息香酸ベンジル、プロトカテキユ酸ベンジル、没食子酸ステアリル、没食酸ラウリル、没食子酸オクチル、１，３−ビス（４−ヒドロキシフェニルチオ）−プロパン、Ｎ，Ｎ’−ジフェニルチオ尿素、Ｎ，Ｎ’−ジ（ｍ−クロロフェニル）チオ尿素、サリチルアニリド、ビス（４−ヒドロキシフェニル）酢酸メチルエステル、ビス（４−ヒドロキシフェニル）酢酸ベンジルエステル、１，３−ビス（４−ヒドロキシクミル）ベンゼン、１，４−ビス（４−ヒドロキシクミル）ベンゼン、２，４’−ジフェノールスルホン、２，２’−ジアリル−４，４’−ジフェノールスルホン、３，４−ジヒドロキシフェニル−４’−メチルジフェニルスルホン、１−アセチルオキシ−２−ナフトエ酸亜鉛、２−アセチルオキシ−１−ナフトエ酸亜鉛、２−アセチルオキシ−３−ナフトエ酸亜鉛、α，α−ビス（４−ヒドロキシフェニル）−α−メチルトルエン、チオシアン酸亜鉛のアンチピリン錯体、テトラブロモビスフェノールＡ、テトラブロモビスフェノールＳ、４，４’−チオビス（２−メチルフェノール）、４，４’−チオビス（２−クロロフェノール）、ドデシルホスホン酸、テトラデシルホスホン酸、ヘキサデシルホスホン酸、オクタデシルホスホン酸、エイコシルホスホン酸、ドコシルホスホン酸、テトラコシルホスホン酸、ヘキサコシルホスホン酸、オクタコシルホスホン酸、α−ヒドロキシドデシルホスホン酸、α−ヒドロキシテトラデシルホスホン酸、α−ヒドロキシヘキサデシルホスホン酸、α−ヒドロキシオクタデシルホスホン酸、α−ヒドロキシエイコシルホスホン酸、α−ヒドロキシドコシルホスホン酸、α−ヒドロキシテトラコシルホスホン酸、ジヘキサデシルホスフェート、ジオクタデシルホスフェート、ジエイコシルホスフェート、ジドコシルホスフェート、モノヘキサデシルホスフェート、モノオクタデシルホスフェート、モノエイコシルホスフェート、モノドコシルホスフェート、メチルヘキサデシルホスフェート、メチルオクタデシルホスフェート、メチルエイコシルホスフェート、メチルドコシルホスフェート、アミルヘキサデシルホスフェート、オクチルヘキサデシルホスフェートおよびラウリルヘキサデシルホスフェート等が挙げられる。記録層１１２Ｍ，１１２Ｃ，１１２Ｙには、上記顕・減色剤を１種単独で用いてもよいし、２種以上を組み合わせて用いてもよい。
【００２７】
光熱変換材料は、例えば近赤外領域（例えば、波長７００ｎｍ以上２５００ｎｍ以下）の特性の波長域の光を吸収して発熱するものである。本実施の形態では、記録層１１２Ｍ，１１２Ｃ，１１２Ｙに用いる光熱変換材料は、光吸収帯が狭く、且つ、互いに重なり合わない材料の組み合わせを選択することが好ましい。これにより、記録層１１２Ｍ，１１２Ｃ，１１２Ｙのうち所望の層を選択的に発色または消色させることが可能となる。一例として、記録層１１２Ｍに含まれる光熱変換材料は、９１５ｎｍに吸収ピークを有するものが挙げられる。記録層１１２Ｃに含まれる光熱変換材料は、８６０ｎｍに吸収ピークを有しているものが挙げられる。記録層１１２Ｙに含まれる光熱変換材料は、７６０ｎｍに吸収ピークを有しているものが挙げられる。なお、上記吸収ピークは一例であり、これに限定されるものではない。
【００２８】
光熱変換材料としては、例えば、フタロシアニン骨格を有する化合物（フタロシアニン系色素）、ナフタロシアニン骨格を有する化合物（ナフタロシアニン系色素）、スクアリリウム骨格を有する化合物（スクアリリウム系色素）、ジイモニウム塩、アミニウム塩等の有機系化合物および、例えばジチオ錯体等の金属錯体、四三酸化コバルト、酸化鉄、酸化クロム、酸化銅、チタンブラック、ＩＴＯ、窒化ニオブ、の無機系化合物、炭化タンタル等の有機金属系化合物等が挙げられる。
【００２９】
この他、優れた耐光性および耐熱性を有するシアニン骨格を有する化合物（シアニン系色素）を用いてもよい。なお、ここで、優れた耐光性とは、レーザ照射時に分解しないことである。優れた耐熱性とは、例えば、高分子材料と共に成膜し、例えば１１５０℃で３０分間保管した際に、吸収スペクトルの最大吸収ピーク値に２０％以上の変化が生じないことである。このようなシアニン骨格を有する化合物としては、分子内に、ＳｂＦ6，ＰＦ6，ＢＦ4，ＣｌＯ4，ＣＦ3ＳＯ3および（ＣＦ3ＳＯ3）2Ｎのうちのいずれかのカウンターイオンと、５員環または６員環を含むメチン鎖との少なくとも一方を有するものが挙げられる。
【００３０】
なお、シアニン系色素は、上記カウンターイオンのいずれかおよびメチン鎖内に５員環および６員環等の環状構造の両方を備えていることが好ましいが、少なくとも一方を備えていれば、十分な耐光性および耐熱性が担保される。優れた耐光性および耐熱性を有する材料は、上記のようにレーザ照射時に分解することがない。優れた耐光性を確認する手段としては、例えば、キセノンランプ照射テスト時に、吸収スペクトルのピーク変化を測定する方法がある。３０分照射時の変化率が２０％以下であれば、耐光性がよいと判断できる。優れた耐熱性を確認する手段としては、例えば、１１５０℃保管時の吸収スペクトルのピーク変化を測定する方法がある。３０分テスト後の変化率が２０％以下であれば、耐熱性がよいと判断できる。
【００３１】
高分子材料は、呈色性化合物、顕・減色剤および光熱変換材料が均質に分散しやすいものが好ましい。高分子材料としては、例えば、マトリクス樹脂を用いることが好ましく、例えば、熱硬化性樹脂および熱可塑性樹脂が挙げられる。具体的には、例えば、ポリ塩化ビニル、ポリ酢酸ビニル、塩化ビニル−酢酸ビニル共重合体、エチルセルロース、ポリスチレン、スチレン系共重合体、フェノキシ樹脂、ポリエステル、芳香族ポリエステル、ポリウレタン、ポリカーボネート、ポリアクリル酸エステル、ポリメタクリル酸エステル、アクリル酸系共重合体、マレイン酸系重合体、シクロオレフィンコポリマー、 ポリビニルアルコール、変性ポリビニルアルコール、ポリビニルブチラール、ポリビニルフェノール、ポリビニルピロリドン、ヒドロキシエチルセルロース、カルボキシメチルセルロース、デンプン、フェノール樹脂 、エポキシ樹脂、メラミン樹脂、尿素樹脂、不飽和ポリエステル樹脂、アルキド樹脂、ウレタン樹脂、ポリアリレート樹脂、ポリイミド、ポリアミドおよびポリアミドイミド等が挙げられる。上記の高分子材料は架橋させて用いてもよい。
【００３２】
記録層１１２Ｍ，１１２Ｃ，１１２Ｙは、上記呈色性化合物、顕・減色剤および光熱変換材料を、それぞれ少なくとも１種ずつ含んで構成されている。記録層１１２Ｍ，１１２Ｃ，１１２Ｙは、上記材料の他に、例えば増感剤や紫外線吸収剤等の各種添加剤を含んで構成されていてもよい。
【００３３】
中間層１１３，１１４は、記録層１１２Ｍと記録層１１２Ｃとの間、記録層１１２Ｃと記録層１１２Ｙとの間で含有分子の拡散や描画時の伝熱が生じるのを抑制するためのものである。中間層１１３は、例えば３層構造を有し、第１層１１３Ａ、第２層１１３Ｂおよび第３層１１３Ｃがこの順に積層された構成を有する。中間層１１４は、中間層１１３と同様に例えば３層構造を有し、第１層１１４Ａ、第２層１１４Ｂおよび第３層１１４Ｃがこの順に積層された構成を有する。各層１１３Ａ，１１３Ｂ，１１３Ｃ（，１１４Ａ，１１４Ｂ，１１４Ｃ）は、一般的な透光性を有する高分子材料を用いて構成されており、特に、上記積層構造における真ん中の層（第２層１１３Ｂ，１１４Ｂ）は、例えば、他の層（第１層１１３Ａ，１１４Ａおよび第３層１１３Ｃ，１１４Ｃ）よりもヤング率の低い材料を用いることが好ましい。
【００３４】
第１層１１３Ａ，１１４Ａおよび第３層１１３Ｃ，１１４Ｃは、例えば、一般的な透光性を有する高分子材料を用いて構成されている。具体的な材料としては、例えば、ポリ塩化ビニル、ポリ酢酸ビニル、塩化ビニル−酢酸ビニル共重合体、エチルセルロース、ポリスチレン、スチレン系共重合体、フェノキシ樹脂、ポリエステル、芳香族ポリエステル、ポリウレタン、ポリカーボネート、ポリアクリル酸エステル、ポリメタクリル酸エステル、アクリル酸系共重合体、マレイン酸系重合体、シクロオレフィンコポリマー、ポリビニルアルコール、変性ポリビニルアルコール、ポリビニルブチラール、ポリビニルフェノール、ポリビニルピロリドン、ヒドロキシエチルセルロース、カルボキシメチルセルロース、デンプン、フェノール樹脂 、エポキシ樹脂、メラミン樹脂、尿素樹脂、不飽和ポリエステル樹脂、アルキド樹脂、ウレタン樹脂、ポリアリレート樹脂、ポリイミド、ポリアミドおよびポリアミドイミド等が挙げられる。
【００３５】
第２層１１３Ｂ，１１４Ｂの材料としては、例えば、シリコーン系エラストマー、アクリル系エラストマー、ウレタン系エラストマー、スチレン系エラストマー、ポリエステル系エラストマー、オレフィン系エラストマー、ポリ塩化ビニル系エラストマー、天然ゴム、スチレン・ブタジエンゴム、イソプレンゴム、ブタジエンゴム、クロロプレンゴム、アクリロニトリル・ブタジエンゴム、ブチルゴム、エチレン・プロピレンゴム、エチレン・プロピレン・ジエンゴム、ウレタンゴム、シリコーンゴム、フッ素ゴム、クロロスルホン化ポリエチレン、塩素化ポリエチレン、アクリルゴム、多硫化ゴム、エピクロルヒドリンゴム、ポリジメチルシロキサン（ＰＤＭＳ）、ポリ塩化ビニル、ポリ酢酸ビニル、塩化ビニル−酢酸ビニル共重合体、エチルセルロース、ポリスチレン、スチレン系共重合体、フェノキシ樹脂、ポリエステル、芳香族ポリエステル、ポリウレタン、ポリカーボネート、ポリアクリル酸エステル、ポリメタクリル酸エステル、アクリル酸系共重合体、マレイン酸系重合体、シクロオレフィンコポリマー、ポリビニルアルコール、変性ポリビニルアルコール、ポリビニルブチラール、ポリビニルフェノール、ポリビニルピロリドン、ヒドロキシエチルセルロース、カルボキシメチルセルロース、デンプン、フェノール樹脂 、エポキシ樹脂、メラミン樹脂、尿素樹脂、不飽和ポリエステル樹脂、アルキド樹脂、ウレタン樹脂、ポリアリレート樹脂、ポリイミド、ポリアミドおよびポリアミドイミド等が挙げられる。
【００３６】
各層１１３Ａ，１１３Ｂ，１１３Ｃ（，１１４Ａ，１１４Ｂ，１１４Ｃ）を構成する材料は、第２層１１３Ｂ，１１４Ｂが第１層１１３Ａ，１１４Ａおよび第３層１１３Ｃ，１１４Ｃよりもヤング率の低い材料であればその組み合わせは限定されない。また、中間層１１３，１１４は、上記の高分子材料を架橋させて用いてもよい。更に、中間層１１３，２４は、例えば紫外線吸収剤等の各種添加剤を含んで構成されていてもよい。
【００３７】
中間層１１３，１１４の厚さは、例えば１μｍ以上１００μｍ以下であることが好ましく、より好ましくは、例えば５μｍ以上２０μｍ以下である。このうち、第１層１１３Ａ，１１４Ａの厚さは、例えば０．１μｍ以上１０μｍ以下であることが好ましく、第２層１１３Ｂ，１１４Ｂの厚さは、例えば０．０１μｍ以上１０μｍ以下であることが好ましい。第３層１１３Ｃ，１１４Ｃの厚さは、例えば０．１μｍ以上１０μｍ以下であることが好ましい。
【００３８】
保護層１１５は、記録層１１２（ここでは、記録層１１２Ｙ）の表面を保護するためのものであり、例えば、紫外線硬化性樹脂や熱硬化性樹脂を用いて形成されている。保護層１１５の厚さは、例えば０．１μｍ以上１００μｍ以下である。
【００３９】
（１−２．可逆性記録媒体の製造方法）
本実施の形態の可逆性記録媒体１００Ａは、例えば、塗布法を用いて製造することができる。なお、以下に説明する製造方法は、可逆性記録媒体１００Ａを構成する各層を支持基体１１１上に直接形成する方法の一例である。
【００４０】
まず、支持基体１１１として、厚さ０．１８８ｍｍの白色のポリエチレンテレフタレート基板を用意する。次に、溶媒（メチルエチルケトン（ＭＥＫ））８．８ｇに、上記式（１）に示したロイコ色素（マゼンダ色）０．２３ｇ、上記式（２）に示した顕・減色剤（サリチル酸アルキル）０．４ｇ、フタロシアニン系光熱変換材料Ａ（吸収波長：９１５ｎｍ）０．０１ｇおよび高分子材料（ポリ（塩化ビニル−ｃｏ−酢酸ビニル（９：１）））０．８ｇを添加し、ロッキングミルを用い２時間分散して均一な分散液（塗料Ａ）を調製する。塗料Ａを支持基体１１１上に、ワイヤーバーで塗布したのち、７０℃にて５分間加熱乾燥処理を施し、厚さ３μｍのマゼンタ色を呈する記録層１１２Ｍを形成する。
【００４１】
続いて、記録層Ｍ上にポリエステル水溶液を塗布したのち、乾燥させることにより厚さ３μｍの第１層１１３Ａを形成する。次に、第１層１１３Ａ上に低ヤング率のポリエステル水溶液を塗布したのち、乾燥させることにより厚さ６μｍの第２層１１３Ｂを形成する。続いて、第２層１１３Ｂ上にポリエステル水溶液を塗布したのち、乾燥させることにより厚さ３μｍの第３層１１３Ｃを形成する。
【００４２】
次に、溶媒（メチルエチルケトン（ＭＥＫ））８．８ｇに、下記式（３）に示したロイコ色素（シアン色）０．２ｇ、上記式（２）に示した顕・減色剤（サリチル酸アルキル）０．４ｇ、フタロシアニン系光熱変換材料Ｂ（吸収波長：８６０ｎｍ）０．０１ｇおよび高分子材料（ポリ（塩化ビニル−ｃｏ−酢酸ビニル（９：１）））０．８ｇを添加し、ロッキングミルを用い２時間分散して均一な分散液（塗料Ｂ）を調製する。塗料Ｂを中間層上に塗布し、７０℃にて５分間加熱乾燥処理を施し、厚さ３μｍのシアン色を呈する記録層１１２Ｃを形成する。
【００４３】
【化３】
2019244649.tif 000005
【００４４】
続いて、記録層Ｃ上にポリエステル水溶液を塗布したのち、乾燥させることにより厚さ３μｍの第１層１１４Ａを形成する。次に、第１層１１４Ａ上に低ヤング率のポリエステル水溶液を塗布したのち、乾燥させることにより厚さ６μｍの第２層１１４Ｂを形成する。続いて、第２層１１４Ｂ上にポリエステル水溶液を塗布したのち、乾燥させることにより厚さ３μｍの第３層１１４Ｃを形成する。
【００４５】
次に、溶媒（メチルエチルケトン（ＭＥＫ））８．８ｇに、下記式（４）に示したロイコ色素（イエロー色）０．１１５ｇ、上記式（２）に示した顕・減色剤（サリチル酸アルキル）０．４ｇ、フタロシアニン系光熱変換材料Ｃ（吸収波長：７６０ｎｍ）０．０１ｇおよびポリマー（ポリ（塩化ビニル−ｃｏ−酢酸ビニル（９：１）））０．８ｇを添加し、ロッキングミルを用い２時間分散して均一な分散液（塗料Ｃ）を調製し、中間層上に塗布し、７０℃にて５分間加熱乾燥処理を施し、厚さ３μｍのイエロー色を呈する記録層１１２Ｙを形成する。
【００４６】
【化４】
2019244649.tif 000006
【００４７】
最後に、記録層１１２Ｙ上に紫外線硬化性樹脂を用いて厚さ約２μｍの保護層１１５を形成する。以上により、図１に示した可逆性記録媒体１００Ａが完成する。
【００４８】
また、可逆性記録媒体１００Ａは、下記方法を用いても製造することができる。以下に説明する可逆性記録媒体１００Ａの製造方法は、転写法を用いた製造方法の一例である。
【００４９】
まず、転写用の仮基体として、厚さ５０μｍの離型・転写用ポリエチレンテレフタレート基板を用意する。続いて、離型・転写用ポリエチレンテレフタレート基板の一面（離型コート面）上に紫外線硬化性樹脂を用いて厚さ約２μｍの保護層を形成する
【００５０】
続いて、溶媒（メチルエチルケトン（ＭＥＫ））８．８ｇに、上記式（４）に示したロイコ色素（イエロー色）０．１１５ｇ、上記式（２）に示した顕・減色剤（サリチル酸アルキル）０．４ｇ、フタロシアニン系光熱変換材料Ｃ（吸収波長：７６０ｎｍ）０．０１ｇおよびポリマー（ポリ（塩化ビニル−ｃｏ−酢酸ビニル（９：１）））０．８ｇを添加し、ロッキングミルを用い２時間分散して均一な分散液（塗料Ｃ）を調製し、中間層上に塗布し、７０℃にて５分間加熱乾燥処理を施し、厚さ３μｍのイエロー色を呈する記録層１１２Ｙを形成する。
【００５１】
次に、記録層１１２Ｙ上にポリエステル水溶液を塗布したのち、乾燥させることにより厚さ３μｍの第３層１１４Ｃを形成する。続いて、第３層１１４Ｃ上に低ヤング率のポリエステル水溶液を塗布したのち、乾燥させることにより厚さ６μｍの第２層１１４Ｂを形成する。次に、第２層１１４Ｂ上にポリエステル水溶液を塗布したのち、乾燥させることにより厚さ３μｍの第１層１１４Ａを形成する。
【００５２】
続いて、溶媒（メチルエチルケトン（ＭＥＫ））８．８ｇに、上記式（３）に示したロイコ色素（シアン色）０．２ｇ、上記式（２）に示した顕・減色剤（サリチル酸アルキル）０．４ｇ、フタロシアニン系光熱変換材料Ｂ（吸収波長：８６０ｎｍ）０．０１ｇおよび高分子材料（ポリ（塩化ビニル−ｃｏ−酢酸ビニル（９：１）））０．８ｇを添加し、ロッキングミルを用い２時間分散して均一な分散液（塗料Ｂ）を調製する。塗料Ｂを中間層上に塗布し、７０℃にて５分間加熱乾燥処理を施し、厚さ３μｍのシアン色を呈する記録層１１２Ｃを形成する。
【００５３】
次に、記録層１１２Ｃ上にポリエステル水溶液を塗布したのち、乾燥させることにより厚さ３μｍの第３層１１３Ｃを形成する。続いて、第３層１１３Ｃ上に低ヤング率のポリエステル水溶液を塗布したのち、乾燥させることにより厚さ６μｍの第２層１１３Ｂを形成する。次に、第２層１１３Ｂ上にポリエステル水溶液を塗布したのち、乾燥させることにより厚さ３μｍの第１層１１３Ａを形成する。
【００５４】
続いて、溶媒（メチルエチルケトン（ＭＥＫ））８．８ｇに、上記式（１）に示したロイコ色素（マゼンダ色）０．２３ｇ、上記式（２）に示した顕・減色剤（サリチル酸アルキル）０．４ｇ、フタロシアニン系光熱変換材料Ａ（吸収波長：９１５ｎｍ）０．０１ｇおよび高分子材料（ポリ（塩化ビニル−ｃｏ−酢酸ビニル（９：１）））０．８ｇを添加し、ロッキングミルを用い２時間分散して均一な分散液（塗料Ａ）を調製する。塗料Ａを中間層上に塗布し、７０℃にて５分間加熱乾燥処理を施し、厚さ３μｍのマゼンタ色を呈する記録層１１２Ｍを形成する。
【００５５】
続いて、中間層１１３上に光学粘着シート（ＯＣＡ）を貼り合わせる。最後に、転写用の仮基体上に設けた上記積層体を、支持基体１１１となる筐体に転写することにより、図１に示した可逆性記録媒体１００Ａが完成する。
【００５６】
なお、記録層１１２Ｍ，１１２Ｃ，１１２Ｙは、それぞれ、上記塗布以外の方法を用いて形成してもかまわない。例えば、予め別の基材に塗布して膜を、例えば接着膜を介して支持基体１１１上に貼付して記録層１１２Ｍ，１１２Ｃ，１１２Ｙをそれぞれ形成するようにしてもよい。あるいは、支持基体１１１を塗料に浸漬して記録層１１２Ｍ，１１２Ｃ，１１２Ｙをそれぞれ形成するようにしてもよい。
【００５７】
（１−３．描画および消去装置の構成）
次に、本実施の形態に係る描画および消去装置１について説明する。
【００５８】
描画および消去装置１は、例えば、信号処理回路１０（制御部）、レーザ駆動回路２０、光源部３０、合波部４０、スキャナ部５０、スキャナ駆動回路６０、切り替え部７０、受付部９０および記憶部８０を備えている。
【００５９】
信号処理回路１０は、例えば、レーザ駆動回路２０と共に、可逆性記録媒体１００の特徴や、可逆性記録媒体１００へ書き込まれた条件に応じて、光源部３０（例えば、後述する各光源３１Ａ，３１Ｂ，３１Ｃ）に印加する電流パルスの波高値等を制御するものである。信号処理回路１０は、例えば、外部から入力された信号Ｄｉｎ（描画信号または消去信号）から、スキャナ部５０のスキャナ動作に同期し、レーザ光の波長等の特性に応じた画像信号（描画用の画像信号または消去用の画像信号）を生成する。
【００６０】
信号処理回路１０は、例えば、入力された信号Ｄｉｎ（描画信号または消去信号）を光源部３０の各光源の波長に応じた画像信号に変換（色域変換）するものである。信号処理回路１０は、例えば、スキャナ部５０のスキャナ動作に同期した投影映像クロック信号を生成する。信号処理回路１０は、例えば、生成した画像信号通りにレーザ光が発光するような投影画像信号（描画用の投影画像信号または消去用の投影画像信号）を生成する。信号処理回路１０は、例えば、生成した投影画像信号を、レーザ駆動回路２０に出力する。また、信号処理回路１０は、例えば、必要に応じて、投影画像クロック信号を、レーザ駆動回路２０に出力する。ここで、「必要に応じて」とは、後述するように、高周波信号の信号源を画像信号に同期させる際に投影画像クロック信号を用いる場合等である。
【００６１】
レーザ駆動回路２０は、例えば、各波長に応じた投影映像信号にしたがって光源部３０の各光源３１Ａ，３１Ｂ，３１Ｃを駆動するものである。レーザ駆動回路２０は、例えば、投影画像信号に応じた画像（描画用の画像または消去用の画像）を描画するためにレーザ光の輝度（明暗）をコントロールする。レーザ駆動回路２０は、例えば、光源３１Ａを駆動する駆動回路２１Ａと、光源３１Ｂを駆動する駆動回路２１Ｂと、光源３１Ｃを駆動する駆動回路２１Ｃとを有している。光源３１Ａ，３１Ｂ，３１Ｃは、近赤外域（７００ｎｍ〜２５００ｎｍ）のレーザ光を出射する。光源３１Ａは、例えば、発光波長λ１のレーザ光Ｌａを出射する半導体レーザである。光源３１Ｂは、例えば、発光波長λ２のレーザ光Ｌｂを出射する半導体レーザである。光源３１Ｃは、例えば、発光波長λ３のレーザ光Ｌｃを出射する半導体レーザである。発光波長λ１，λ２は、例えば、以下の条件１（式（１）、式（２））を満たしている。発光波長λ２，λ３は、例えば、以下の条件２（式（３）、式（４））を満たしていてもよい。
【００６２】
〜条件１〜
λａ２＜λ１＜λａ１…（１）
λａ３＜λ２＜λａ２…（２）
〜条件２〜
λａ１−１０ｎｍ＜λ１＜λａ１＋１０ｎｍ…（３）
λａ３＜λ２＜λａ２…（４）
【００６３】
ここで、λａ１は、例えば記録層１１２Ｍの吸収波長（吸収ピーク波長）であり、例えば９１５ｎｍである。λａ２は、後述する記録層１１２Ｃの吸収波長（吸収ピーク波長）であり、例えば８６０ｎｍである。λａ３は、後述する記録層１１２Ｙの吸収波長（吸収ピーク波長）であり、例えば７６０ｎｍである。なお、式（３）における「±１０ｎｍ」は、許容誤差範囲を意味している。発光波長λ１，λ２が上記の条件１を満たす場合、発光波長λ１は、例えば、８８０ｎｍであり、発光波長λ２は、例えば、７９０ｎｍである。発光波長λ１，λ２が上記の条件２を満たす場合、発光波長λ１は、例えば、９２０ｎｍであり、発光波長λ２は、例えば、７９０ｎｍである。
【００６４】
光源部３０は、可逆性記録媒体１００への情報の書き込みおよび書き込まれた情報の消去に用いる光源を有するものである。光源部３０は、例えば、３つの光源３１Ａ，３１Ｂ，３１Ｃを有している。
【００６５】
合波部４０は、例えば、２つの反射ミラー４１ａ，４１ｄと、２つのダイクロイックミラー４１ｂ，４１ｃとを有するものである。光源３１Ａ，３１Ｂ，３１Ｃから出射された各レーザ光Ｌａ，Ｌｂ，Ｌｃは、例えば、コリメートレンズによってほぼ平行光（コリメート光）にされる。その後、例えば、レーザ光Ｌａは、反射ミラー４１ａで反射されると共にダイクロイックミラー４１ｂで反射される。レーザ光Ｌｂは、ダイクロイックミラー４１ｂ，４１ｃを透過する。レーザ光Ｌｃは、反射ミラー４１ｄで反射されると共にダイクロイックミラー４１ｃで反射される。これにより、レーザ光Ｌａ、レーザ光Ｌｂおよびレーザ光Ｌｃが合波される。光源部３０は、さらに消去時に合波により得られた合波光Ｌｍのビーム形状を調整するレンズ４２を有する。合波部４０は、例えば、合波により得られた合波光Ｌｍをスキャナ部５０に出力する。
【００６６】
スキャナ部５０は、例えば、合波部４０から入射された合波光Ｌｍを、可逆性記録媒体１００の表面上で線順次で走査させるものである。スキャナ部５０は、例えば、２軸スキャナ５１と、ｆθレンズ５２とを有している。２軸スキャナ５１は、例えば、ガルバノミラーである。ｆθレンズ５２は、２軸スキャナ５１による等速回転運動を、焦点平面（可逆性記録媒体１００の表面）上を動くスポットの等速直線運動に変換する。
【００６７】
スキャナ駆動回路６０は、例えば、信号処理回路１０から入力された投影映像クロック信号に同期して、スキャナ部５０を駆動するものである。また、スキャナ駆動回路６０は、例えば、スキャナ部５０から２軸スキャナ５１等の照射角度についての信号が入力される場合には、その信号に基づいて、所望の照射角度になるようにスキャナ部５０を駆動する。
【００６８】
切り替え部７０は、可逆性記録媒体１００への描画時および消去時において合波部４０の光学系を切り替えるためのものである。具体的には、切り替え部７０は、例えば、ユーザによる手動操作によって、消去時に合波部４０の光学系にレンズ４２を装着し、描画時に合波部４０の光学系からレンズ４２を外すものである。なお、切り替え部７０は、機械による走査によってレンズ４２の着脱を行うものであってもよい。
【００６９】
記憶部８０は、例えば、図１および図３に示したように、可逆性記録媒体１００の種類を識別する識別子（第１識別子）と、光源部３０に含まれる１または複数の光源を識別する識別子（第２識別子）とを関連付けて記憶する。記憶部８０は、例えば、図１および図３に示したように、第１識別子と第２識別子とを関連付けたデータベース８１を有している。データベース８１は、第１識別子として、可逆性記録媒体１００の種類を識別する製品ＩＤ８１Ａを記憶しており、第２識別子として可逆性記録媒体１００に対応する光源の種類を識別するレーザＩＤ８１Ｂを記憶している。
【００７０】
光源部３０が条件１および条件２のいずれかの条件（式（１）〜式（４））にも合致する光源を有している場合、データベース８１には、例えば、条件１に対応する製品ＩＤ８１Ａとして「００１」が割り当てられており、条件１に対応するレーザＩＤ８１Ｂとして「８８０（つまり光源３１Ａ）」および「７９０（つまり光源３１Ｂ）」が割り当てられている。また、データベース８１には、例えば、条件２に対応する製品ＩＤ８１Ａとして「００２」が割り当てられており、条件２に対応するレーザＩＤ８１Ｂとして「９１５（つまり光源３１Ｃ）」および「７９０（つまり光源３１Ｂ）」が割り当てられている。
【００７１】
受付部９０は、可逆性記録媒体１００の種類を識別する識別子として、例えば、製品ＩＤ８１Ａの入力を受け付ける。受付部９０は、さらに、製品ＩＤ８１Ａに対応する可逆性記録媒体１００の消去用の光源を識別する識別子として、製品ＩＤ８１Ａに対応するレーザＩＤ８１Ｂをデータベース８１から読み出す。受付部９０は、さらに、データベース８１から読み出したレーザＩＤ８１Ｂを信号処理回路１０に出力する。信号処理回路１０は、受付部９０から入力されたレーザＩＤ８１Ｂに対応する複数の光源を選択し、選択した複数の光源を、レーザ駆動回路２２を介して制御する。このとき、信号処理回路１０は、例えば、製品ＩＤ８１Ａに対応する可逆性記録媒体１００に含まれる記録層１１２の数（例えば３つ）よりも少ない数（例えば２つ）の発光波長のレーザ光を可逆性記録媒体１００に照射するように光源部３０を制御する。
【００７２】
（１−４．可逆性記録媒体の書き込みおよび消去方法）
次に、可逆性記録媒体１００における情報の書き込み（描画）および消去について説明する。
【００７３】
（書き込み）
まず、可逆性記録媒体１００を用意し、描画および消去装置１にセットする。次に、描画用の画像信号に基づいて、例えば発光波長９１５ｎｍのレーザ光Ｌａ、８６０ｎｍのレーザ光Ｌｂおよび７６０ｎｍのレーザ光Ｌｃを適宜合波することにより得られた合波光Ｌｍが描画および消去装置１にセットから可逆性記録媒体に照射される。
【００７４】
その結果、発光波長９１５ｎｍのレーザ光Ｌａ光が記録層１１２Ｍ内の光熱変換材料に吸収され、光熱変換材料から発生した熱により記録層１１２Ｍ内のロイコ色素が書き込み温度に到達し、顕色剤と結合してマゼンタ色を発色する。マゼンタ色の発色濃度は、発光波長９１５ｎｍのレーザ光の強度に依る。また、発光波長８６０ｎｍのレーザ光が、記録層１１２Ｃ内の光熱変換材料に吸収され、それにより、光熱変換材料から発生した熱により記録層１１２Ｃ内のロイコ色素が書き込み温度に到達し、顕色剤と結合してシアン色を発色する。シアン色の発色濃度は、発光波長８６０ｎｍのレーザ光の強度に依る。また、発光波長７６０ｎｍのレーザ光が、記録層１１２Ｙ内の光熱変換材料に吸収され、それにより、光熱変換材料から発生した熱により記録層１１２Ｙ内のロイコ色素が書き込み温度に到達し、顕色剤と結合して黄色を発色する。黄色の発色濃度は、発光波長７６０ｎｍのレーザ光の強度に依る。その結果、マゼンタ色、シアン色および黄色の混色によって、所望の色が発色する。このようにして、可逆性記録媒体１００における情報の書き込みが行われる。
【００７５】
（消去）
まず、上記のようにして情報の書き込まれた可逆性記録媒体１００を用意し、描画および消去装置１にセットする。次に、ユーザは、受付部９０に製品ＩＤを入力する。受付部９０は、ユーザから製品ＩＤを受け付けると共に、受け付けた製品ＩＤに関連するレーザＩＤ８１Ｂを記憶部８０（データベース８１）から読み出す。受付部９０は、記憶部８０（データベース８１）から読み出したレーザＩＤ８１Ｂを信号処理回路１０に出力する。信号処理回路１０は、受付部９０から入力されたレーザＩＤ８１Ｂに基づいて、駆動する光源を選択する。
【００７６】
続いて、信号処理回路１０は、選択した光源を駆動するための投影映像信号（消去用の投影画像信号）を生成する。信号処理回路１０は、生成した投影画像信号をレーザ駆動回路２０に出力する。このとき、信号処理回路１０は、セットされた可逆性記録媒体１００に含まれる記録層１１２の数（例えば３つ）よりも少ない数（例えば２つ）の発光波長のレーザ光を可逆性記録媒体１００に照射するように光源部３１を制御する。
【００７７】
ここで、ユーザから入力された製品ＩＤが「００１」であったとする。このとき、発光波長λ１（例えば８８０ｎｍ）のレーザ光Ｌａが、例えば、記録層１１２Ｍ，１１２Ｃ内の光熱変換材料に吸収される。また、発光波長λ２（例えば７９０ｎｍ）のレーザ光Ｌｂが、例えば、記録層１１２Ｙ内の光熱変換材料に吸収される。これらにより、記録層１１２Ｍ，１１２Ｃ，１１２Ｙ内の光熱変換材料から発生した熱により各記録層１１２内のロイコ色素が消去温度に到達し、顕色剤と分離して消色する。このようにして、描画および消去装置１は、可逆性記録媒体１００に書き込まれた情報の消去を行う。
【００７８】
一方、ユーザから入力された製品ＩＤが「００２」であったとする。このとき、発光波長λ１（例えば９２０ｎｍ）のレーザ光Ｌａが、例えば、記録層１１２Ｍ，１１２Ｃ内の光熱変換材料に吸収される。また、発光波長λ２（例えば７９０ｎｍ）のレーザ光Ｌｂが、例えば、記録層１１２Ｙ内の光熱変換材料に吸収される。これらにより、記録層１１２Ｍ，１１２Ｃ，１１２Ｙ内の光熱変換材料１０Ｃから発生した熱により各記録層１１２内のロイコ色素が消去温度に到達し、顕色剤と分離して消色する。このようにして、描画および消去装置１は、可逆性記録媒体１００に書き込まれた情報の消去を行う。
【００７９】
このように、本実施の形態の描画および消去装置１では、可逆性記録媒体１００に対して２種類の消去方法を選択することができる。
【００８０】
また、本実施の形態では、消去用の画像信号に基づいて合波した合波光Ｌｍを、例えば図４に示したような、温度プロファイルとなるように可逆性記録媒体１００に対して照射する。
【００８１】
本実施の形態では、情報が書き込まれた可逆性記録媒体１００の任意の領域に対して合波光Ｌｍが重複して照射されるように走査する。例えば、本実施の形態の描画および消去装置１では、合波光Ｌｍの走査経路として、例えば可逆性記録媒体１００をＸ軸方向に横断する一対の照射開始点および照射終了点を有する。この一対の照射開始点および照射終了点は、合波光Ｌｍの走査経路内に、第１の開始点Ｓ１および第１の終了点Ｅ１、第２の開始点Ｓ２および第２の終了点Ｅ２、第３の開始点Ｓ３および第３の終了点Ｅ３、・・・、第ｎの開始点Ｓｎおよび第ｎの終了点Ｅｎというように複数設定されている。また、各一対照射開始点および照射終了点は、例えば、順次Ｙ軸方向にシフトするように設定されている。ここで、Ｘ軸方向を主走査方向、Ｙ軸方向を副走査方向とする。
【００８２】
図５Ａ〜図５Ｃは、可逆性記録媒体１００に対する合波光Ｌｍの走査経路の一例を表したものであり、各一対照射開始点および照射終了点は、例えば以下のように設置される。
【００８３】
図５Ａに示した走査経路では、第１の開始点Ｓ１と第１の終了点Ｅ１および第２の開始点Ｓ２と第２の終了点Ｅ２が、それぞれ、合波光Ｌｍの主走査方向において互いに正対する位置に設定され、第１の開始点Ｓ１と第２の開始点Ｓ２および第１の終了点Ｅ１と第２の終了点Ｅ２が、それぞれ、合波光の副走査方向上に設定されている。この走査経路では、合波光Ｌｍは、例えば、第１の開始点Ｓ１から主走査方向に直線状に第１の終了点Ｅ１まで走査したのち、合波光Ｌｍの照射をオフ状態として、例えば図５Ａに示した点線に沿って折り返し、副走査方向にシフトした第２の開始点Ｓ２から照射を開始して主走査方向に直線状に第２の終了点Ｅ２まで走査し、これを第ｎの終了点Ｅｎまで繰り返す。
【００８４】
図５Ｂに示した走査経路では、第１の開始点Ｓ１と第１の終了点Ｅ１および第２の開始点Ｓ２と第２の終了点Ｅ２が、それぞれ、合波光Ｌｍの主走査方向において互いに正対する位置に設定され、第１の開始点Ｓ１と第２の終了点Ｅ２および第１の終了点Ｅ１と第２の開始点Ｓ２が、それぞれ、合波光の副走査方向上に設定されている。この走査経路では、合波光Ｌｍは、例えば、第１の開始点Ｓ１から主走査方向に直線状に第１の終了点Ｅ１まで走査したのち、合波光Ｌｍの照射をオフ状態として、例えば図５Ｂに示した点線に沿って副走査方向にシフトし、第２の開始点Ｓ２から照射を開始して主走査方向に直線状に第２の終了点Ｅ２まで走査し、これを第ｎの終了点Ｅｎまで繰り返す。
【００８５】
各一対照射開始点および照射終了点は、必ずしも主走査方向において互いに正対する位置に設定されていなくてもよい。例えば、図５Ｃに示した走査経路では、各終了点が対応する開始点よりも副走査方向にシフトした位置に設定されている。この走査経路では、矢印に沿って、第１の開始点Ｓ１、第１の終了点Ｅ１、第２の開始点Ｓ２および第２の終了点Ｅ２・・・第ｎの開始点Ｓｎ、第ｎの終了点Ｅｎの順に合波光Ｌｍを連続して照射する。なお、上記図５Ａおよび５Ｂと同様に、合波光Ｌｍを第１の開始点Ｓ１から主走査方向に直線状に第１の終了点Ｅ１まで走査したのち、合波光Ｌｍの照射をオフ状態として、第２の開始点Ｓ２から照射を開始して主走査方向に直線状に第２の終了点Ｅ２まで走査してもよい。
【００８６】
図５Ａ〜図５Ｃでは、可逆性記録媒体１００に書き込まれた情報全体を一括で消去する例を示したが、任意の領域の描画を選択的に消去することもできる。任意の領域の描画を消去したい場合には、例えば図６Ａに示したように、その消去したい任意の領域（所望の消去領域）に対して選択的に合波光Ｌｍを照射することで限定的に情報を消去することができる。このように可逆性記録媒体１００の平面方向において限定的に合波光Ｌｍの照射を行うことで、可逆性記録媒体１００の反り等の変形を低減することができる。更に、例えば、この部分消去と、上述した可逆性記録媒体１００の一括消去とを組み合わせることで、消去ムラ等を低減させることができる。更にまた、図６Ｂに示したように、第１の開始点Ｓ１から第１の終了点Ｅ１、第２の開始点Ｓ２・・・第ｎ＋１の開始点までの各間の走査経路は必ずしも一直線上である必要はなく、例えば、合波光Ｌｍが一の方向に直進する経路Ｍａ１と、一の方向とは異なる他の方向に直進する経路Ｍａ２とを組み合わせるようにしてもよい。
【００８７】
消去用の合波光Ｌｍのスポット径は描画時のスポット径よりも大きいことが好ましく、例えば０．１ｍ角以上３ｍｍ角以下とすることが好ましい。消去用の合波光Ｌｍの出力は３Ｗ以上３０Ｗ以下であることが好ましい。主走査速度は１ｍ／ｓｅｃ以上２０ｍ／ｓｅｃ以下とすることが好ましい。副走査速度は５ｍｍ／ｓｅｃ以下とすることが好ましい。
【００８８】
上述した消去用の合波光Ｌｍの走査経路および走査速度ならびに上記消去用の合波光Ｌｍのスポット径および出力を組み合わせることで、図４に示したように、可逆性記録媒体１００において消去に必要な温度レベル以上の熱量の細かな調整が可能となる。これにより、記録層１１２Ｍ，１１２Ｃ，１１２Ｙの感度のばらつき等の微小な変化に対して容易に調整することが可能となる。
【００８９】
（１−５．作用・効果）
前述したように、印刷物に替わる表示媒体の一例として、熱により可逆的に情報の記録や消去が可能な記録媒体、いわゆる可逆性記録媒体が実用化されている。可逆性記録媒体では、例えば、書き込み用の光源と、消去用の光源とを備えた描画装置によって、情報の書き込みおよび消去が行われる。また、可逆性記録媒体では、例えば、書き込み用の光源を備えた書き込み装置によって情報の書き込みが行われ、消去用の光源を備えた消去装置によって情報の消去が行われる。
【００９０】
可逆性記録媒体の消去装置としては、前述した画像消去装置等、様々な消去装置の開発が行われている。しかしながら、図２に示した可逆性記録媒体１００Ａのように、互いに異なる色を発色する複数の記録層が積層された、多色表示が可能な可逆性記録媒体に対しては十分な消去性能が得られず、書き込まれた情報の消え残りや焦げ等によって表示品位の低下が課題となっている。
【００９１】
これに対して、本実施の形態の描画および消去装置１ならびに消去方法では、互いに発光波長の異なる複数のレーザ素子（例えば、光源３１Ａ，３１Ｂ，３１Ｃ）から出射された複数種類のレーザ光Ｌａ，Ｌｂ，Ｌｃを合波した合波光Ｌｍを、可逆性記録媒体１００上の所定の領域を重複走査するようにした。これにより、可逆性記録媒体１００の所定の領域の温度レベルを細かく調整することが可能となる。
【００９２】
以上、本実施の形態の描画および消去装置１ならびに消去方法では、互いに発光波長の異なる複数のレーザ素子から出射された複数種類のレーザ光Ｌａ，Ｌｂ，Ｌｃを合波した合波光Ｌｍを、可逆性記録媒体１００上の所定の領域で重複走査するようにした。これにより、温度の急峻な上昇や低下が抑制され、細かな調整を行うことが可能となる。よって、記録層１１２Ｍ，１１２Ｃ，１１２Ｙの感度のばらつき等の微小な変化に対して容易に調整ができるようになり、消去不良が低減され、表示品位を向上させることが可能となる。
【００９３】
また、本実施の形態の描画および消去装置１ならびに消去方法では、消去時に合波部４０の光学系にレンズ４２を追加して合波光Ｌｍのビーム形状を調整するようにしたので、同一装置内で可逆性記録媒体１００への情報の書き込みおよび消去が可能となる。よって、可逆性記録媒体１００への情報の書き込みおよび消去を行う装置の小型化を図ることが可能となる。また、コストを低減することが可能となる。
【００９４】
なお、本実施の形態では、記録層１１２Ｍと記録層１１２Ｃとの間、記録層１１２Ｃと記録層１１２Ｙとの間にそれぞれ設けられた中間層１１３，１１４の第２層１１３Ｂ，１１４Ｂをヤング率の低い材料を用いて形成した例を示したがこれに限らない。例えば、第２層１１３Ｂ，１１４Ｂは、第１層１１３Ａ，１１４Ａおよび第３層１１３Ｃ，１１４Ｃよりも高いバリア性を有する材料を用いて形成するようにしてもよい。これにより、発色分子等の拡散が低減され、描画時における混色の発生を低減することが可能となる。また、第２層１１３Ｂ，１１４Ｂは、第１層１１３Ａ，１１４Ａおよび第３層１１３Ｃ，１１４Ｃよりも空隙率の高い材料を用いて形成するようにしてもよい。これにより、所望の記録層（例えば記録層１１２Ｃ）の描画時に発生した熱の他の記録層（例えば記録層１１２Ｍ，１１２Ｙ）への伝播が低減され、描画時における混色の発生を低減することが可能となる。更に、第２層１１３Ｂ，１１４Ｂは、第１層１１３Ａ，１１４Ａおよび第３層１１３Ｃ，１１４Ｃよりも熱伝導率の高い材料を用いて形成するようにしてもよい。これにより、所望の記録層（例えば記録層１１２Ｃ）の描画時に発生した熱は、第２層１１３Ｂ，１１４Ｂにおいて平面方向に伝播しやすくなり、積層方向（他の記録層（例えば記録層１１２Ｍ，１１２Ｙ））への伝播が低減される。更にまた、第２層１１３Ｂ，１１４Ｂは、第１層１１３Ａ，１１４Ａおよび第３層１１３Ｃ，１１４Ｃよりも硬化収縮率の低い材料を用いて形成するようにしてもよい。これにより、中間層の乾燥時に発生する硬化収縮に起因する残留応力によるクラック発生を抑制し、クラックを経由した混色の発生を低減することが可能となる。
【００９５】
次に、本開示の変形例について説明する。以下では、上記実施の形態と同様の構成要素については同一の符号を付し、適宜その説明を省略する。
【００９６】
＜２．変形例＞
図７は、本開示の変形例に係る可逆性記録媒体（可逆性記録媒体１００Ｂ）の断面構成を表したものである。可逆性記録媒体１００Ｂは、上記実施の形態と同様に、例えば、支持基体１１１上に、記録状態および消去状態を可逆的に変化させることが可能な記録層１６２が配置されたものである。本変形例の可逆性記録媒体１００Ｂは、例えば、上記実施の形態と同様の構成を有する中間層１１３，１１４を間に、互いに異なる色を呈する、例えば３種類の呈色性化合物を含む記録層１６２が積層された構成を有する。
【００９７】
記録層１６２は、上記のように、互いに異なる色（例えば、シアン色（Ｃ）、マゼンタ色（Ｍ）およびイエロー色（Ｙ））を呈する３種類の呈色性化合物を含んでいる。具体的には、記録層１６２は、例えば、シアン色（Ｃ）、マゼンタ色（Ｍ）またはイエロー色（Ｙ）を呈する呈色性化合物と、各呈色性化合物に対応する顕・減色剤と、互いに異なる波長域の光を吸収して発熱する光熱変換材料とをそれぞれ含む３種類のマイクロカプセル１６２Ｃ，１６２Ｍ，１６２Ｙを作製し、これを混合して形成したものである。この記録層１６２は、例えば、上記マイクロカプセル１６２Ｃ，１６２Ｍ，１６２Ｙを、例えば上記実施の形態における記録層１１２の構成材料として挙げた高分子材料に分散させ、例えば、中間層１１３を形成した支持基体１１１上に塗布することで形成することができる。
【００９８】
このように、上記実施の形態および変形例１〜７では、記録層１１２として、互いに異なる色を呈する層（記録層１１２Ｍ，１１２Ｃ，１１２Ｙ）を形成し、これらを中間層（例えば、中間層１１３，１１４）と介して積層した例を示したが、本変形例のように、例えば、各色を呈する呈色性化合物およびそれに対応する材料をそれぞれマイクロカプセルに封入し、混合することにより、単層構造でも多色表示が可能な可逆性記録媒体を実現することができる。
【００９９】
＜３．適用例＞
次に、上記実施の形態および変形例おいて説明した可逆性記録媒体１００（可逆性記録媒体１００Ａ，１００Ｂ）の適用例について説明する。ただし、以下で説明する電子機器の構成はあくまで一例であり、その構成は適宜変更可能である。上記可逆性記録媒体１００は、各種の電子機器あるいは服飾品の一部に適用可能である。例えば、いわゆるウェアラブル端末として、例えば時計（腕時計）、鞄、衣服、帽子、ヘルメット、ヘッドフォン、眼鏡および靴等の服飾品の一部に適用可能である。この他、例えば、ヘッドアップディスプレイおよびヘッドマウントディスプレイ等のウェアラブルディスプレイや、ポータブル音楽プレイヤーおよび携帯型ゲーム機等の持ち運び可能なポータブルデバイス、ロボット、あるいは、冷蔵庫および洗濯機等、電子機器の種類は特に限定されない。また、電子機器や服飾品に限らず、例えば、加飾部材として、自動車の内装や外装、建造物の壁等の内装や外装、机等の家具の外装等にも適用することができる。
【０１００】
（適用例１）
図８Ａおよび図８Ｂは、リライト機能付きIntegrated Circuit（ＩＣ）カードの外観を表したものである。このＩＣカードでは、カードの表面が印字面２１０となっており、例えば、シート状の可逆性記録媒体１００等が貼付されて構成されている。ＩＣカードは、印字面２１０に可逆性記録媒体１００等を配置することで、図１１Ａおよび図１１Ｂに示したように、適宜、印字面に描画およびその書き換え並びに消去が可能となる。
【０１０１】
（適用例２）
図９Ａはスマートフォンの前面の外観構成を、図９Ｂは、図９Ａに示したスマートフォンの背面の外観構成を表したものである。このスマートフォンは、例えば、表示部３１０および非表示部３２０と、筐体３３０とを備えている。背面側の筐体３３０の例えば一面には、筐体３３０の外装部材として、例えば可逆性記録媒体１００等が設けられており、これにより、図９Ｂに示したように、様々な色柄を表示することができる。なお、ここでは、スマートフォンを例に挙げたが、これに限らず、例えば、ノート型パーソナルコンピュータ（ＰＣ）やタブレットＰＣ等にも適用することができる。
【０１０２】
（適用例３）
図１０Ａおよび図１０Ｂは、鞄の外観を表したものである。この鞄は、例えば収納部４１０と持ち手４２０とを有しており、例えば、収納部４１０に、例えば可逆性記録媒体１００が取り付けられている。収納部４１０には、例えば可逆性記録媒体１００により、様々な文字や図柄が表示される。また、持ち手４２０部分に可逆性記録媒体１００等が取り付けることで、様々な色柄を表示することができ、図１０Ａの例から図１０Ｂの例のように、収納部４１０の意匠を変更することができる。ファッション用途においても有用な電子デバイスを実現可能となる。
【０１０３】
（適用例４）
図１１は、例えばアミューズメントパークにおいて、例えばアトラクションの搭乗履歴やスケジュール情報等を記録可能なリストバンドの一構成例を表したものである。このリストバンドは、ベルト部５１１１５１１２と、情報記録層５２０とを有している。ベルト部５１１１５１１２は、例えば帯形状を有し、端部（図示せず）が互いに接続可能に構成されている。情報記録層５２０には、例えば可逆性記録媒体１００等が貼付されており、上記アトラクションの搭乗履歴ＭＨ２やスケジュール情報ＩＳ（ＩＳ１〜ＩＳ３）のほか、例えば情報コードＣＤが記録されている。アミューズメントパークでは、入場者が、アトラクション搭乗予約スポット等の各所に設置された描画装置にリストバンドをかざすことによって上記情報を記録することができる。
【０１０４】
搭乗履歴マークＭＨ１は、アミューズメントパークにおいて、リストバンドを装着した入場者が搭乗したアトラクションの数を示すものである。この例では、アトラクションに搭乗するほど、多くの星形マークが搭乗履歴マークＭＨ１として記録されるようになっている。なお、これに限定されるものではなく、例えば、入場者が搭乗したアトラクションの数によって、マークの色が変化するようにしてもよい。
【０１０５】
スケジュール情報ＩＳは、この例では、入場者のスケジュールを示すものである。この例では、入場者が予約したイベントや、アミューズメントパークにおいて催されるイベントを含む全てのイベントの情報がスケジュール情報ＩＳ１〜ＩＳ３として記録される。具体的には、この例では、入場者が搭乗予約を行ったアトラクション名（アトラクション２０１）と、その搭乗予定時刻が、スケジュール情報ＩＳ１として記録されている。また、パレード等のパーク内のイベントと、その開始予定時刻が、スケジュール情報ＩＳ２として記録されている。また、入場者があらかじめ予約したレストランと、その食事予定時刻がスケジュール情報ＩＳ３として記録されている。
【０１０６】
情報コードＣＤには、例えば、リストバンドを識別するための識別情報ＩＩＤや、ウェブサイト情報ＩＷＳが記録されている。
【０１０７】
（適用例５）
図１１５Ａは自動車の上面の外観を、図１１５Ｂは自動車の側面の外観を表したものである。本開示の可逆性記録媒体１００等は、上記のように、例えば、ボンネット５１１、バンパー５１１２、ルーフ５１１３、トランクカバー５１１４、フロントドア５１１５、リアドア５１６およびリアバンパー５１７等の車体に設けることで各部に様々な情報や色柄を表示することができる。また、可逆性記録媒体１００等は、自動車の内装、例えば、ハンドルやダッシュボード等に設けることで様々な色柄を表示することができる。
【０１０８】
（適用例６）
図１３は、化粧用機の外観を表したものである。この化粧用機は、例えば収容部７１０と収容部７１０を覆う蓋７２０を有しており、例えば、蓋７２０に、たとえば可逆性記録媒体１００が貼付されている。蓋７２０は、この可逆性記録媒体１００により、例えば図１３に示したような図柄や色柄あるいは文字等で加飾される。この蓋７２０の図柄や色柄あるいは文字等は、例えば販売店舗に設置された描画および消去装置１で書き替えおよび消去が可能となる。
【０１０９】
＜４．実施例＞
次に、本実施の形態に係る描画および消去装置１の実施例について説明する。
【０１１０】
まず、支持基体上にシアン（Ｃ）、マゼンタ（Ｍ）、イエロー（Ｙ）およびブラック（Ｋ）を発色する記録層を有する可逆性記録媒体を作成した。表１は作成した可逆性記録媒体の描画前のＬ＊ａ＊ｂ＊値である。表２は、書き込み後の各記録層の反射濃度（ＯＤ）をまとめたものである。上記描画後の可逆性記録媒体に対して、３種のレーザ光（レーザＣ，レーザＭ，レーザＹ）を合波した合波光を、主走査幅０．９０１ｍｍ、副走査幅０．６９９ｍｍのビームサイズ（ＦＷＨＭ；半値全幅）に調整して下記照射条件を用いて走査した。
【０１１１】
【表１】
2019244649.tif 000007
【０１１２】
【表２】
2019244649.tif 000008
【０１１３】
（実験例１）
実験例１では、出力２．３４ＷのレーザＣ、出力１．６６ＷのレーザＭ、出力２．７ＷのレーザＹ（計６．７Ｗ）の合波光を主走査速度７ｍ／ｓｅｃ、副走査速度０．５８ｍｍ／ｓｅｃで走査し、可逆性記録媒体に書き込まれたベタ画像の消去を行い、消去後の反射濃度を測定した。
【０１１４】
（実験例２）
実験例２では、出力２．３４ＷのレーザＣ、出力１．６６ＷのレーザＭ、出力２．７ＷのレーザＹ（計６．７Ｗ）の合波光を主走査速度７ｍ／ｓｅｃ、副走査速度０．６３ｍｍ／ｓｅｃで走査し、可逆性記録媒体に書き込まれたベタ画像の消去を行い、消去後の反射濃度を測定した。
【０１１５】
（実験例３）
実験例３では、出力２．３４ＷのレーザＣ、出力１．６６ＷのレーザＭ、出力２．７ＷのレーザＹ（計６．７Ｗ）の合波光を主走査速度７ｍ／ｓｅｃ、副走査速度０．６８ｍｍ／ｓｅｃで走査し、可逆性記録媒体に書き込まれたベタ画像の消去を行い、消去後の反射濃度を測定した。
【０１１６】
（実験例４）
実験例４では、出力２．３４ＷのレーザＣ、出力１．６６ＷのレーザＭ、出力２．７ＷのレーザＹ（計６．７Ｗ）の合波光を主走査速度７ｍ／ｓｅｃ、副走査速度０．７３ｍｍ／ｓｅｃで走査し、可逆性記録媒体に書き込まれたベタ画像の消去を行い、消去後の反射濃度を測定した。
【０１１７】
（実験例５）
実験例５では、出力２．３４ＷのレーザＣ、出力１．６６ＷのレーザＭ、出力２．７ＷのレーザＹ（計６．７Ｗ）の合波光を主走査速度７ｍ／ｓｅｃ、副走査速度０．７８ｍｍ／ｓｅｃで走査し、可逆性記録媒体に書き込まれたベタ画像の消去を行い、消去後の反射濃度を測定した。
【０１１８】
（実験例６）
実験例６では、出力２ＷのレーザＣ、出力１．４ＷのレーザＭ、出力２．３ＷのレーザＹ（計５．７Ｗ）の合波光を主走査速度７ｍ／ｓｅｃ、副走査速度０．８８ｍｍ／ｓｅｃで走査し、可逆性記録媒体に書き込まれたベタ画像の消去を行い、消去後の反射濃度を測定した。
【０１１９】
（実験例７）
実験例７では、出力２．２３ＷのレーザＣ、出力１．５２ＷのレーザＭ、出力２．５５ＷのレーザＹ（計６．３Ｗ）の合波光を主走査速度７ｍ／ｓｅｃ、副走査速度０．６８ｍｍ／ｓｅｃで走査し、可逆性記録媒体に書き込まれたベタ画像の消去を行い、消去後の反射濃度を測定した。
【０１２０】
（実験例８）
実験例８では、出力２．３４ＷのレーザＣ、出力１．６６ＷのレーザＭ、出力２．７ＷのレーザＹ（計６．７Ｗ）の合波光を主走査速度７ｍ／ｓｅｃ、副走査速度０．６８ｍｍ／ｓｅｃで走査し、可逆性記録媒体に書き込まれたベタ画像の消去を行い、消去後の反射濃度を測定した。
【０１２１】
（実験例９）
実験例９では、出力２．３４ＷのレーザＣ、出力１．７６ＷのレーザＭ、出力２．９ＷのレーザＹ（計７Ｗ）の合波光を主走査速度７ｍ／ｓｅｃ、副走査速度０．６８ｍｍ／ｓｅｃで走査し、可逆性記録媒体に書き込まれたベタ画像の消去を行い、消去後の反射濃度を測定した。
【０１２２】
（実験例１０）
実験例１０では、出力２．３４ＷのレーザＣ、出力１．７６ＷのレーザＭ、出力３．２ＷのレーザＹ（計７．３Ｗ）の合波光を主走査速度７ｍ／ｓｅｃ、副走査速度０．６８ｍｍ／ｓｅｃで走査し、可逆性記録媒体に書き込まれたベタ画像の消去を行い、消去後の反射濃度を測定した。
【０１２３】
（実験例１１）
実験例１１では、出力２．３４ＷのレーザＣ、出力１．７６ＷのレーザＭ、出力３．５ＷのレーザＹ（計７．６Ｗ）の合波光を主走査速度７ｍ／ｓｅｃ、副走査速度０．６８ｍｍ／ｓｅｃで走査し、可逆性記録媒体に書き込まれたベタ画像の消去を行い、消去後の反射濃度を測定した。
【０１２４】
（実験例１２）
実験例１２では、出力２．３４ＷのレーザＣ、出力２．２ＷのレーザＭ、出力３．４６ＷのレーザＹ（計８Ｗ）の合波光を主走査速度７ｍ／ｓｅｃ、副走査速度１．００ｍｍ／ｓｅｃで走査し、可逆性記録媒体に書き込まれたベタ画像の消去を行い、消去後の反射濃度を測定した。
【０１２５】
（実験例１３）
実験例１３では、出力２．３４ＷのレーザＣ、出力４．１６ＷのレーザＭ、出力３．５ＷのレーザＹ（計１０Ｗ）の合波光を主走査速度７ｍ／ｓｅｃ、副走査速度１．３０ｍｍ／ｓｅｃで走査し、可逆性記録媒体に書き込まれたベタ画像の消去を行い、消去後の反射濃度を測定した。
【０１２６】
（実験例１４）
実験例１４では、出力２．３４ＷのレーザＣ、出力２．２ＷのレーザＭ、出力３．４６ＷのレーザＹ（計８Ｗ）の合波光を主走査速度７ｍ／ｓｅｃ、副走査速度１．３０ｍｍ／ｓｅｃで走査し、可逆性記録媒体に書き込まれたベタ画像の消去を行い、消去後の反射濃度を測定した。
【０１２７】
実験例１〜１４について、消去後と描画前との色差ΔＥ＊を算出した。物体の色を数値化して表わす方法としてＣＩＥ Ｌ＊ａ＊ｂ＊表示系がある。Ｌ＊は明度を、ａ＊ｂ＊は色相と彩度を示す色度を表す。ａ＊ｂ＊は、色の方向を示しており、ａ＊は赤方向、−ａ＊は緑方向、ｂ＊は黄方向、−ｂ＊は青方向を示している。Ｌ＊が大きくなるに従って色が鮮明になり、数値が小さくなるに従ってくすんだ色となる。例えば、ある色０が（Ｌ0＊ａ0＊ｂ0＊）で表わされ、ある色１が（Ｌ1＊ａ1＊ｂ1＊）で表わされる場合には、この２色間の色差ΔＥ＊は、以下の式で計算できる。
ΔＬ＊＝（Ｌ0＊−Ｌ1＊）
Δａ＊＝（ａ0＊−ａ1＊）
Δｂ＊＝（ｂ0＊−ｂ1＊）
ΔＥ＊＝（ΔＬ＊2＋Δａ＊2＋Δｂ＊2）0.5
【０１２８】
【表３】
2019244649.tif 000009
【０１２９】
表３は、実験例１〜１４の消去条件および消去後と描画前との色差ΔＥ＊をまとめたものである。一般に、色差ΔＥ＊≦３．２であれば、その色差はほとんど認識されないことがわかった。
【０１３０】
以上、実施の形態および変形例ならびに実施例を挙げて本開示を説明したが、本開示は上記実施形態等で説明した態様に限定されず、種々の変形が可能である。例えば、上記実施の形態等において説明した全ての構成要素を備える必要はなく、さらに他の構成要素を含んでいてもよい。また、上述した構成要素の材料や厚さは一例であり、記載したものに限定されるものではない。
【０１３１】
更に、上記変形例では、単層構造での多色表示を、マイクロカプセルを用いて行う例を示したが、これに限らず、例えば、繊維状の３次元立体構造物によっても行うこともできる。ここで用いる繊維は、例えば、所望の色を呈する呈色性化合物、これに対応する顕・減色剤および光熱変換材料を含有する芯部と、この芯部を被覆すると共に、断熱材料によって構成される鞘部とから構成される所謂芯鞘構造を有することが好ましい。芯鞘構造を有し、それぞれ異なる色を呈する呈色性化合物を含む複数種類の繊維を用いて３次元立体構造物を形成することで、多色表示が可能な可逆性記録媒体を作製することができる。
【０１３２】
また、上記実施の形態では、支持基体１１１上に直接記録層１１２（図２では記録層１１２Ｍ）を設けた例を示したが、例えば、支持基体１１１と記録層１１２Ｍとの間に、例えば中間層１１３と同様の構成を有する層を追加するようにしてもよい。
【０１３３】
なお、本明細書中に記載された効果はあくまで例示であって限定されるものではなく、また、他の効果があってもよい。
【０１３４】
なお、本開示は以下のような構成も取ることができる。
（１）
発光波長の互いに異なる複数のレーザ素子を含む光源部と、
前記複数のレーザ素子から出射された複数種類のレーザ光を合波する合波部と、
前記合波部から出射された合波光を、発色色調が互いに異なる可逆性の複数の記録層を有する可逆性記録媒体上で走査するスキャナ部と、
前記可逆性記録媒体に書き込まれた情報の消去時に、前記スキャナ部が前記可逆性記録媒体上の所定の領域を重複走査するように前記スキャナ部の主走査速度および副走査速度を制御する制御部と
を備えた描画および消去装置。
（２）
前記可逆性記録媒体へ情報を書き込む描画時および前記消去時において、前記合波部を構成する光学系を切り替える切り替え部をさら備える、前記（１）に記載の描画および消去装置。
（３）
前記合波部は、前記合波光のスポット径を調整する光学レンズを有し、
前記切り替え部は、前記描画時および前記消去時において前記合波部の光学系から前記光学レンズを着脱する、前記（２）に記載の描画および消去装置。
（４）
前記主走査速度は１ｍ／ｓｅｃ以上２０ｍ／ｓｅｃ以下である、前記（１）乃至（３）のうちのいずれかに記載の描画および消去装置。
（５）
前記副走査速度は５ｍ／ｓｅｃ以下である、前記（１）乃至（４）のうちのいずれかに記載の描画および消去装置。
（６）
前記消去時における前記合波光のスポット径は、前記描画時に用いるレーザ光のスポット径よりも小さい、前記（２）乃至（５）のうちのいずれかに記載の描画および消去装置。
（７）
前記消去時における前記合波光のスポット径は０．１ｍｍ角以上３ｍｍ角以下である、前記（１）乃至（６）のうちのいずれかに記載の描画および消去装置。
（８）
前記消去時における前記合波光の出力は３Ｗ以上３０Ｗ以下である、前記（１）乃至（７）のうちのいずれかに記載の描画および消去装置。
（９）
前記可逆性記録媒体は、可逆性感熱発色性組成物と光熱変換材料とを含む複数の記録層を有し、各前記可逆性感熱発色性組成物の発色色調が前記複数の記録層ごとに異なると共に、各前記光熱変換材料の吸収波長が前記複数の記録層ごとに異なる、前記（１）乃至（８）のうちのいずれかに記載の描画および消去装置。
（１０）
発光波長の互いに異なる複数のレーザ素子から出射されるレーザ光を合波し、合波光を、発色色調が互いに異なる可逆性の複数の記録層を有する可逆性記録媒体上で所定の領域を重複走査する
消去方法。
（１１）
前記合波光の走査経路として、前記可逆性記録媒体の所定の領域を横断する第１の開始点、第１の終了点、第２の開始点および第２の終了点を有する、前記（１０）に記載の消去方法。
（１２）
前記合波光を前記第１の開始点、第１の終了点、前記第２の開始点および前記第２の終了点の順に連続して照射する、前記（１１）に記載の消去方法。
（１３）
前記可逆性記録媒体の所定の領域への不連続な前記合波光の照射を走査に含む、前記（１０）乃至（１２）のうちのいずれかに記載の消去方法。
（１４）
前記合波光の走査経路として、前記可逆性記録媒体の所定の領域を横断する第１の開始点、第１の終了点、第２の開始点および第２の終了点を有し、
前記第１の開始点から第１の終了点まで走査したのち、前記第１の終了点から前記第２の開始点まで前記合波光を照射しない状態で走査する、前記（１３）に記載の消去方法。
（１５）
前記第１の開始点と前記第１の終了点および前記第２の開始点と前記第２の終了点は、それぞれ、前記合波光の主走査方向（Ｘ軸方向）において互いに正対する位置に配置され、
前記第１の開始点と前記第２の開始点および前記第１の終了点と前記第２の終了点は、それぞれ、前記合波光の副走査方向（Ｙ軸方向）上に配置されている、前記（１１）乃至（１４）のうちのいずれかに記載の消去方法。
（１６）
前記第１の開始点と前記第１の終了点および前記第２の開始点と前記第２の終了点は、それぞれ、前記合波光の主走査方向（Ｘ軸方向）において互いに正対する位置に配置され、
前記第１の開始点と前記第２の終了点および前記第１の終了点と前記第２の開始点は、それぞれ、前記合波光の副走査方向（Ｙ軸方向）上に配置されている、前記（１１）乃至（１４）のうちのいずれかに記載の消去方法。
（１７）
前記第１の開始点と前記第２の開始点および前記第１の終了点と前記第２の終了点は、それぞれ、前記合波光の副走査方向（Ｙ軸方向）上に配置され、
前記第１の終了点および前記第２の終了点は、ぞれぞれ、前記第１の開始点および前記第２の開始点から前記副走査方向にシフトした位置に配置されている、前記（１１）乃至（１４）のうちのいずれかに記載の消去方法。
【０１３５】
本出願は、日本国特許庁において２０１８年６月２２日に出願された日本特許出願番号２０１８−１１８９６６号を基礎として優先権を主張するものであり、この出願の全ての内容を参照によって本出願に援用する。
【０１３６】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2019244649.tif 000010
【図２】
2019244649.tif 000011
【図３】
2019244649.tif 000012
【図４】
2019244649.tif 000013
【図５Ａ】
2019244649.tif 000014
【図５Ｂ】
2019244649.tif 000015
【図５Ｃ】
2019244649.tif 000016
【図６Ａ】
2019244649.tif 000017
【図６Ｂ】
2019244649.tif 000018
【図７】
2019244649.tif 000019
【図８Ａ】
2019244649.tif 000020
【図８Ｂ】
2019244649.tif 000021
【図９Ａ】
2019244649.tif 000022
【図９Ｂ】
2019244649.tif 000023
【図１０Ａ】
2019244649.tif 000024
【図１０Ｂ】
2019244649.tif 000025
【図１１】
2019244649.tif 000026
【図１２Ａ】
2019244649.tif 000027
【図１２Ｂ】
2019244649.tif 000028
【図１３】
2019244649.tif 000029
【国際調査報告】
2019244649.tif 000030
2019244649.tif 000031
2019244649.tif 000032
2019244649.tif 000033